(57)【要約】  本発明は、適切に歩行できる者と歩行不能者及び部分的歩行可能者の両方によって有利に使用され得る姿勢装置に関する。後者の場合、移動のための医療支援装置、リハビリ用及び社会もしくは家庭生活用の医療装置及びその類似品と共に又はこれに組み入れられて有利に使用される。この装置は、また、移動手段と共に又はこれに組み入れられて使用されてもよい。本発明に係る姿勢装置は、使用者の身体の様々な部位（脚、骨盤、脊椎など）を支持するための平らなベース板１０及び複数のモジュラーブロック２０ａ〜２０ｆ、３０ａ〜３０ｄ、４０ａ〜４０ｆ、５０ａ〜５０ｅ、８０ａ〜８０ｂを備える支持構造を提供する。前記モジュラーブロックの数、形状サイズ及び向きは、使用者の体形（男性か女性かに関係なく）に完全に適合し身体を完璧に収容してシートの表面全体に体重を適切に配分するように適切に選択できる。
2013526956.tif 000002
【特許請求の範囲】
【請求項１】
平らなベース板（１０）と、
使用者の形態学的構造に適合するように造形された支持構造を得るために前記ベース板に結合するのに適する、様々な形状及びサイズの複数のモジュラーブロック（２０ａ〜２０ｆ、３０ａ〜３０ｄ、４０ａ〜４０ｆ，５０ａ〜５０ｅ、８０ａ〜８０ｂ）と、を備え、
前記ベース板（１０）が、外部支持表面及び前記モジュラーブロックに取外し可能かつ可逆的に結合するための結合手段を備え、前記モジュラーブロック（２０ａ〜２０ｆ、３０ａ〜３０ｄ、４０ａ〜４０ｆ，５０ａ〜５０ｅ、８０ａ〜８０ｂ）が、前記ベース板（１０）に、及び相互に、取外し可能かつ可逆的に結合するための手段を備える、姿勢装置。
【請求項２】
モジュラーベース（２０）を得るのに適する第一の複数のモジュラーブロック（２０ａ〜２０ｆ）を備える、請求項１に記載の姿勢装置。
【請求項３】
前記ベース板（１０）が、その上面に、前記第一の複数のモジュラーブロック（２０ａ〜２０ｆ）に取外し可能かつ可逆的に結合するための結合手段を備え、及び前記複数のモジュラーブロック（２０ａ〜２０ｆ）が、それぞれその底面に、前記ベース板（１０）に取外し可能かつ可逆的に結合するための対応する結合手段を備える、請求項２に記載の姿勢装置。
【請求項４】
前記使用者の脚を収容するためのモジュラーシステム（３０）を得るのに適する第二の複数のモジュラーブロック（３０ａ〜３０ｄ）を備える、請求項２又は３に記載の姿勢装置。
【請求項５】
前記第一のモジュラーブロック（２０ａ〜２０ｆ）が、その上面に、前記第二の複数のモジュラーブロック（３０ａ〜３０ｄ）に取外し可能かつ可逆的に結合するための結合手段を備え、及び前記第二の複数のモジュラーブロック（３０ａ〜３０ｄ）が、それぞれその底面に、前記モジュラーベース（２０）に取外し可能かつ可逆的に結合するための対応する結合手段を備える、請求項４に記載の姿勢装置。
【請求項６】
前記第二の複数のモジュラーブロック（３０ａ〜３０ｄ）が、中央外転筋組立体を構成するための２つ以上の別個の独立したモジュラーブロック（３０ｂ、３０ｃ）を備える、請求項４又は５に記載の姿勢装置。
【請求項７】
前記使用者の骨盤を収容するためのモジュラーシステム（４０）を得るのに適する第三の複数のモジュラーブロック（４０ａ〜４０ｆ）を備える、請求項４又は５に記載の姿勢装置。
【請求項８】
前記第二のモジュラーブロック（３０ａ〜３０ｄ）が、その上面に、前記第三の複数のモジュラーブロック（４０ａ〜４０ｆ）に取外し可能かつ可逆的に結合するための結合手段を備えることができ、及び前記第三の複数のモジュラーブロック（４０ａ〜４０ｆ）が、それぞれその底面及び／又は上面に、前記ベース板（１０）に取外し可能かつ可逆的に結合するための対応する結合手段を備える、請求項７に記載の姿勢装置。
【請求項９】
前記使用者の脊椎を収容するためのモジュラーシステム（５０）を得るのに適する、第四の複数のモジュラーブロック（５０ａ〜５０ｅ）と、前記第四のモジュラーブロックに結合された平らな背もたれベース（５２）とを備える、請求項７又は８に記載の姿勢装置。
【請求項１０】
前記第三のモジュラーブロック（４０ａ〜４０ｆ）が、その上面に、前記第四の複数のモジュラーブロック（５０ａ〜５０ｅ）に取外し可能かつ可逆的に結合するための結合手段を備え、及び前記第四の複数のモジュラーブロック（５０ａ〜５０ｅ）が、それぞれその底面に、前記使用者の骨盤を収容するための前記モジュラーシステム（３０）に取外し可能かつ可逆的に結合するための対応する結合手段を備える、請求項９に記載の姿勢装置。
【請求項１１】
パッドシステム（６０；７０）が前記支持構造に取り付けられ、前記パッドシステム（６０；７０）が、モジュラー構造を有し、かつ様々な構造及び形状及びサイズを有して適切に組み合わされるのに適する複数のパッドクッション（６０ａ〜６０ｄ；７０ａ〜７０ｂ）を備える、請求項１〜１０のいずれか一項に記載の姿勢装置。
【請求項１２】
該姿勢装置が、特に歩行不能者又は部分的歩行可能者のための移動のための医療支援装置、並びに／又はリハビリ用及び社会もしくは家庭生活用の医療装置に取り付けられるか又は前記医療支援装置及び前記医療装置の一体化した部分である、請求項１〜１１のいずれか一項に記載の姿勢装置。
【請求項１３】
該姿勢装置が、特に適切に歩行できる者のための、椅子、シート、ベンチ及びその類似品に取り付けられるか又は前記椅子、前記シート、前記ベンチ及びその類似品の一体化した部分である、請求項１〜１１のいずれか一項に記載の姿勢装置。
【請求項１４】
該姿勢装置が、移動手段に取り付けられるか又は前記移動手段の一体化した部分である、請求項１〜１１のいずれか一項に記載の姿勢装置。
【発明の詳細な説明】
【技術分野】
【０００１】
本発明は姿勢装置に関する。特に、本発明に係る姿勢装置は、歩行不能者又は部分的歩行可能者によって使用され、手動台車及び／又は電子的台車のような移動のための医療支援装置、施設及び／又は学校での使用のための車輪付き又は車輪無しのベースのようなリハビリ用及び社会もしくは家庭生活用の医療装置に取り付けられるか又はその一体の部分として設計される。
【０００２】
ただし、本発明に係る姿勢装置は、椅子、シート、ベンチ及び同様の物と組み合わされて、別個の取外し可能な物として又はそれらの一体の部分として、座位における正しい姿勢を保証するために、適切に歩行できる者によって有利に使用されてもよい。特に、それは移動手段に有利に使用され得る。
【背景技術】
【０００３】
座位は、多くの要因によって影響され、とりわけ重力によって影響される。他の要因は、人体の運動系に見出され、また姿勢を動的な非静止姿勢として形成する感覚及び知覚系にも見出される。
【０００４】
自身で座位を維持できる者においては、３つの感覚系（知覚系、処理系及び行動系）の相互作用に依存する自己制御機構が、関与させられて、たとえ反応が常に完全に正しくかつ適時ではないとしても、外部刺激に反応することを可能にする。正しい姿勢を維持する問題は、遺伝的であるか後天的であるかに関係なく中枢神経系の損傷から派生する疾病を患う者の場合、より深刻である。この場合、自己制御機構は常に作用できるとは限らない。
【０００５】
中枢神経系の損傷から派生するいくつかの疾病は、例えば前額面、矢状面及び横断面における骨盤の非対称のような身体構造の変化も生じる。骨盤の非対称は、下肢の非対称及び／又は脊椎の変形を引き起こし、その結果、呼吸、嚥下、コミュニケーションなどの基本的身体機能に制限を生み出す。
【０００６】
この種の疾病を患う者においては、正しい座位は、身体の様々な部位を保持する外部支持装置によってしか得られない。
【０００７】
特に、生体力学的観点から見て、均衡の取れた機能的座位にとって最も重要な身体の部位は骨盤である。科学的研究から、空間における仙椎の向き及び骨盤の角度が、脊椎全体に対する荷重及び従って椎間板の間の荷重を決定し、脊椎に問題を引き起こすことが知られている。
【０００８】
従って、この種の疾病を患う者のための姿勢装置が、骨盤のための正しい支持及び保持を保証することが重要である。
【０００９】
前記の骨盤の正しい支持及び保持を得るために、個人の個々の身体形態、特に彼らの骨盤の個々の形態に留意する必要があることは明らかである。
【００１０】
例えば、解剖学的観点から見て、男性と女性との間には骨盤に構造上及び寸法上の相違があり、女性の骨盤は幼児期には小さいが、１０歳を超えると際立って大きくなる。
【００１１】
より一般的に、固有の解剖学的体格に基づいて適切な形状及び寸法を有する姿勢装置を個人に提供できることが望ましい。
【００１２】
しかし、個人用に慎重に設計された注文誂えの姿勢装置の構成は、複雑でコスト高な生産工程を必要とし、最終製品がほぼ手の届かない価格になるので実用的ではない。
【００１３】
また、人の形態は固定的で変化しないものではなく、特に成長期には（またその後も）大きな変化を経る可能性があることにも留意しなければならない。
【００１４】
従って、注文誂えの姿勢装置であっても、時間の経過と共に、個人の骨盤の正しい支持及び保持を保証できない。
【００１５】
基本的な姿勢装置と、部分的にその形状を修正するために基本的姿勢装置に取外し可能に結合できる付属品とを含むモジュラーシステムが、現状技術から知られている。
【００１６】
この種の既知の姿勢装置の例は、例えば、米国特許第５３３３９２１号明細書及び国際公開第９５／０３３９６号パンフレットに見られる。
【００１７】
しかし、上述の文献に記載されるタイプの姿勢装置において、基本的姿勢装置は、予め決定され修正できないモデルに基づいて形作られた独自の形態を既に持ち、取外し可能な付属品はこの造形された形態を表面的に変えるのみである。
【００１８】
その結果、これらの既知の装置は、それらが個人の固有の解剖学的体格に基づいて姿勢装置を適合させ及び寸法を定めることができないという点で、上記の技術的問題を改善できない。
【００１９】
英国特許第２１０２２８３号明細書は、運動及びリハビリ訓練用、特に身体障害児用の支持物について記載する。この支持物はモジュラー構造を有する。
【００２０】
しかし、上述の支持物のモジュラー構造は、様々な形態学的特徴を持つ使用者に充分に合わせて設計されず、様々なタイプの運動及びリハビリ訓練の実施用に設計される。
【００２１】
従って、上述の支持物は、使用者の骨盤の正しい支持及び保持を保証するという技術的問題を解決しない。さらに、この支持物はモジュラー構造を持つが、あらゆる個人の解剖学的体格に合わせるための充分に多様なサイズ及び形態を採用していない。
【先行技術文献】
【特許文献】
【００２２】
【特許文献１】米国特許第５３３３９２１号明細書
【特許文献２】国際公開第９５／０３３９６号パンフレット
【特許文献３】英国特許第２１０２２８３号明細書
【発明の概要】
【発明が解決しようとする課題】
【００２３】
従って、本発明の目的は、先行技術の不利な点を改善して、使用者に正しい支持を提供することができ、且つ使用者の形態学的特徴に基づいて個性化され得る姿勢装置を提供することである。
【００２４】
本発明のもう１つの目的は、時間の経過に伴って使用者に生じる可能性のある形態学的変化に合わせるように容易に修正できる姿勢装置を提供することである。
【００２５】
本発明の別の目的は、最終製品を競合可能な価格で提供できるように、単純で経済的な製造工程によって製造できる姿勢装置を提供することである。
【００２６】
本発明の上記の及びその他の目的は、特許請求の範囲において主張される姿勢装置によって達成される。
【課題を解決するための手段】
【００２７】
本発明に係る姿勢装置が、完全なモジュラー式であって、好ましくは緩衝・防振材で作られた平らなベース板と、複数の造形ブロックとを備える支持構造を提供するという事実から、使用者の体形への完全な適合を獲得して、身体の完璧な収容と、シートの表面全体への正確な体重配分とを促進することが可能である。
【００２８】
特に、使用者の身体を支えるベース自体が既にモジュラー構造であり、前記モジュラー構造は、要件に応じて、特に使用者の体形に応じて修正可能である。
【００２９】
特に、前記ブロックは、切削、材料の除去、プレス又はその他の加工によって造形され得る。また、それらは、前記ベース板に、及び相互に、取外し可能かつ可逆的に結合するための手段を備える。
【００３０】
本発明によると、前記造形ブロックの数、形状及び配置は、使用者の構造的体形に完璧に合うように選択できる。
【００３１】
また、本発明によると、前記造形ブロックの数、形状及び配置は、時間の経過に伴い使用者の体形に与える変化に応じて簡単に修正できる。
【００３２】
要求に従って、本発明に係る姿勢装置の支持構造は、骨盤（側方及び後部の全ての支持点において）、尾骨、仙椎、腰椎、胸椎及び使用者の脊椎の残り部分の正しい収容を可能にする。
【００３３】
本発明の好ましい実施形態によれば、モジュラー式姿勢装置は、
平らなベース板と、
モジュラーベースを形成する第一の複数のモジュラーブロックと、
使用者の脚を収容するための第二の複数のモジュラーブロックと、
使用者の骨盤を収容するための第三の複数のモジュラーブロックと、おそらく
使用者の脊椎を収容するための第四の複数のモジュラーブロックと、を備える支持構造を提供する。
【００３４】
さらに、本発明に係る姿勢装置は、上述の支持構造の上面に配置できるパッドシステムも備える。
【００３５】
本発明によると、有利には、前記パッドシステムもモジュラー式であり、複数の可変的に組合せ可能なパッドクッションを備える。
【００３６】
本発明に係る姿勢装置は、例えば、使用者の肩及び頭部を収容し支持するための装置のような付属装置も備えてよい。前記付属装置は、モジュラー構造を好適に有する。
【００３７】
本発明に係る姿勢装置は、有利には、上述のベース板及び様々な形状及びサイズの多数のモジュラーブロックを備えるキットの形態で提供され、その結果、使用者の体格及び要求に応じて最も適切な形状及びサイズを有するブロックが選択され、このようにして選択されたブロックが前記ベース板の上に組み立てられることができる。
【００３８】
本発明のさらなる利点及び特徴は、非限定的な例として添付図面を参照して示される本発明のいくつかの好ましい実施形態の以下の詳細な説明から明らかであろう。
【図面の簡単な説明】
【００３９】
【図１ａ】本発明の第一実施形態による姿勢装置の支持構造のモジュラー構成の連続的構造形を示す。
【図１ｂ】本発明の第一実施形態による姿勢装置の支持構造のモジュラー構成の連続的構造形を示す。
【図１ｃ】本発明の第一実施形態による姿勢装置の支持構造のモジュラー構成の連続的構造形を示す。
【図１ｄ】本発明の第一実施形態による姿勢装置の支持構造のモジュラー構成の連続的構造形を示す。
【図２】本発明の前記第一実施形態の変形構成における図１ｄの構造形と同様の構造形を示す。
【図３】本発明の第二実施形態による姿勢装置の支持構造のモジュラー構成の別の構造形を示す。
【図４】本発明に係るパッドシステムを備えた図１ａ〜１ｄの支持構造を示す。
【図５】本発明に係るパッドシステムを備えた図３の支持構造を示す。
【図６】本発明の第三実施形態による姿勢装置の支持構造のモジュラー構成の別の構造形を示す。
【発明を実施するための形態】
【００４０】
図１ａ〜１ｄは、本発明に係る姿勢装置のモジュラー構成の連続的構造形を示す。
概して、前記姿勢装置は、モジュラー構造を有しかつベース板と複数の造形ブロックとを備える支持構造を提供し、前記造形ブロックによって、身体は、シートの表面全体へ体重が正しく配分された状態で完璧に収容され得る。
【００４１】
図１ａは、前記姿勢装置用のベース板を図解する。前記ベース板１０は、平らな板であり、プラスチック、金属又は複合材料から製造できる。最終使用者への受け渡し段階において、前記ベース板は、例えば切削によって、所望の形状及びサイズを得るために簡単に修正できる。
【００４２】
前記ベース板１０は、結合手段を備える底面を有し、前記結合手段は、施設及び／又は学校で使用するための車輪付き又は車輪無しのベース又は可能性のある付属品を結合できるように適切に設計されたプレート付きのベースを有する台車への結合に使用され得る。
【００４３】
また、前記ベース板は、前記モジュラーブロックに結合するための結合手段１２を備える上面も有する。
前記結合手段１２は、例えば、バインダブロッキング装置並びに／又は雄及び／若しくは雌式ファスナテープを有する結合装置を備える。
【００４４】
図１ｂにおいて、第一の複数のモジュラーブロック２０ａ〜２０ｆが、ベース板１０に結合されて、全体が参照番号２０で示されるモジュラーベースを形成する。
前記モジュラーベース２０は、非対称形の可能性もある臀部が滑るのを防止しかつ脚／骨盤の関係系の均衡を維持する役割を有する。
【００４５】
モジュラーブロック２０ａ〜２０ｆは、プラスチック又は複合材料で作られ、予備造形されて、切削、材料の除去又はその他の同様の加工によって改造できる。
【００４６】
モジュラーブロック２０ａ〜２０ｆの各々は、その底面に、平らなベース板１０に結合するための結合手段を備える。また、モジュラーブロックの各々は、その上面に、別の複数の造形ブロックに結合するための結合手段２２を備える。この別の複数の造形ブロックは、下に説明するように、個別に脚の位置を定め、案内するために使用される。
【００４７】
前記結合手段２２は、例えば、バインダブロッキング装置並びに／又は雄及び／若しくは雌式ファスナテープを有する結合装置を備える。
【００４８】
モジュラーベース２０の構成において、前記モジュラーブロックは、ベース板１０のそれぞれ左右に２列に配置される。
【００４９】
姿勢装置が、異なる長さの脚を有する使用者のために意図されている場合、いずれかの側のブロック２０ａ〜２０ｆの１つ以上を取り外した後にベース板１０を切削することによって、対応する脚の長さに合わせて前記列の各々の寸法を定めることができる。
【００５０】
姿勢装置が前額面において右又は左に回転した骨盤を有する使用者のためのものである場合、ブロック２０ａ〜２０ｆの２つの列の各々が、臀部の差異のある様態での滑りに対する障害物を与えることができるように、前記列の各々はベース板１０の長さに沿って異なるレベルに配置され得る。
【００５１】
姿勢装置が湾曲した及び／又は脱臼した脚を持つ使用者のためのものである場合、前記列の各々は、中心から外れて及び／又はベース板１０の支持面に対して斜めにベース板１０に固定され得る。
【００５２】
姿勢装置が外向きに回転した脚を持つ使用者のためのものである場合、前記列の各々は、ベース板の長手正中線に対して分岐した様態でベース板１０に固定できる。
【００５３】
上述のことから、モジュラーベース２０は、使用者の体形特性に合うように様々な構造形を取ることができること、また、これらの構造形は使用者の体形の構造又はその他の必要性の変化に合わせて使用過程で修正され得ることが明らかである。
【００５４】
また、モジュラーベース２０のために上述のようなタイプのモジュラー構造を使用するだけで、本発明が、先行技術の問題点の改善及び上述の目的の達成を可能にすることも明らかである。
【００５５】
図解する実施形態の変形例において、モジュラーブロック２０ａ〜２０ｆの２つの列の各々は、同様にモジュラー構造を有する対応する形状の下側部材を備えることができる。これは、骨盤の前後の均衡を促進する。
【００５６】
図１ｃにおいて、第二の複数のモジュラーブロック３０ａ〜３０ｄが、モジュラーベース２０に取り付けられて、全体が参照番号３０で示される、使用者の脚を収容するためのモジュラーシステムを提供する。
【００５７】
モジュラーブロック３０ａ〜３０ｄは、プラスチック又は複合材料から製造され、予備造形され、切削、材料の除去又はその他の同様の加工によって改造できる。
前記モジュラーブロック３０ａ〜３０ｄの各々は、その底面に、モジュラーベース２０に結合するための結合手段を供える。
【００５８】
前記結合手段は、例えば、バインダブロッキング装置並びに／又は雄及び／若しくは雌式ファスナテープを用いる結合装置を備える。
【００５９】
前記ブロック３０ａ〜３０ｄは、使用者の寸法上の必要性に基づいてそれらの厚みを増すのに有用なくさび材が備えられてよい。前記くさび材は、それぞれ脚を収容するために、モジュラーベース２０及びモジュラーブロック３０ａ〜３０ｄへの結合を可能にするためにそれらの上面及び底面に結合手段を備える。
【００６０】
モジュラーブロック３０ａ〜３０ｄ及びその対応するくさび材（くさび材を備える場合）のモジュラー方式は、モジュラーベース２０の使用と組み合わせて、脚の収容のためのシステム全体が、極めて個人化された様態で必要であれば非対称的様態で構成されることを可能にすることが明らかである。
【００６１】
特に、本発明によると、使用者の脚を離して維持するために使用される中央外転筋ブロックは、別個のモジュラーブロック３０ｂ、３０ｃを備えることができる。外転筋ブロック３０ｂ、３０ｃの形状及びサイズを適切に選択することによって、たとえ非対称でも使用者の体形に最も適した構造形を得ることができる。これは、既存のタイプの姿勢装置では不可能である。
【００６２】
図１ｄにおいて、使用者の骨盤を収容するためのモジュラーシステムを形成するために、全体が参照番号４０で示される、第三の複数のモジュラーブロック４０ａ〜４０ｆが本発明に係る姿勢装置に取り付けられる。
【００６３】
前記収容システムは、骨盤及び骨盤の位置における機能的脊椎区分のための保持、サスペンション、並びに側方及び後部制御サブシステムの組合せを備えると考えることもできる。
【００６４】
モジュラーブロック４０ａ〜４０ｆは、プラスチック又は複合材料で作られ、予備造形され、切削、材料の除去又はその他の同様の加工によって改造されてよい。
【００６５】
モジュラーブロック４０ａ〜４０ｆの各々は、平らなベース板１０の後部面に結合するためにその上面及び／又は底面に結合手段を備える。
前記結合手段は、例えば、バインダブロッキング装置並びに／又は雄及び／若しくは雌式ファスナテープを有する結合装置を備える。
【００６６】
モジュラーブロック４０ａ〜４０ｆの各々を独立に結合することによって得られるモジュラー構造の骨盤収容システム４０の結果として、使用者の骨盤の形態学的構造に関係なく骨盤の正しい保持、サスペンション、並びに前部、側方及び後部制御を得ることができ、かつ使用過程において身体構造に変化が生じた場合これに合わせてその保持を調節することができる。
【００６７】
前記骨盤収容システム４０は、尾骨、仙椎、腰椎及び胸椎など骨盤の位置の影響を直接受ける機能的脊椎区分を保持、支持及び制御することを可能にして、骨盤領域の全体的支持（いわゆる“ＰＴＳ”骨盤全支持（Ｐｅｌｖｉｃ  Ｔｏｔａｌ  Ｓｕｐｐｏｒｔ））を獲得する。
【００６８】
上記モジュラーブロック４０ａ〜４０ｆの各々は、使用者の形態学的構造次第で様々なサイズ、形状及び配置を持つことができ、その厚み、傾斜又は向きを変更するために有用な付属品を備えることができる。前記付属品は、平らなベース板１０及びモジュラーブロック４０ａ〜４０ｆにそれぞれ結合するための結合手段を上面及び底面に沿って備える。
【００６９】
この点に関して、図２は、異なる方法及びサイズでモジュラーブロック４０ａ’〜４０ｇ’を組み合わせることによって構成された骨盤を収容するためのモジュラーシステム４０’を備える、本発明に係る姿勢装置の別の構成を図解する。
【００７０】
図３は、本発明の第二実施形態による姿勢装置の支持構造を図解する。
図３の実施形態によると、全体が参照番号５０で示される、使用者の背中を収容するためのモジュラーシステムは、背もたれベース部材５２と第四の複数のモジュラーブロック５０ａ〜５０ｅとを備え、本発明に係る姿勢装置の支持構造に結合される。
平らな背もたれベース部材５２は、ベース板１０と同様に構成されてよい。
【００７１】
モジュラーブロック５０ａ〜５０ｅは、プラスチック又は複合材料で作られ、予備造形され、切削、材料の除去又はその他の同様の加工によって調節され得る。
【００７２】
モジュラーブロック５０ａ〜５０ｅの各々は、姿勢装置の支持構造のライニング及び／又は前記支持構造の平らなベース板１０に沿って結合できるように底面に沿って結合手段を備える。
【００７３】
前記結合手段は、例えば、バインダブロッキング装置並びに／又は雄及び／若しくは雌式ファスナテープを有する結合装置を備える。モジュラーブロック５０ａ〜５０ｅを用いた脊椎収容のためのモジュラーシステム５０の構成は、使用者の構造的体形及び脊椎及び相関的な部位及び関節の正しい収容に基づいて、異なる時点における前記ブロックの各々の独立の結合によって、使用者の胴体の正しい保持及び前部、側方及び後部制御を得ることを可能にする。
【００７４】
モジュラーブロック５０ａ〜５０ｅの各々は、様々なサイズ、形状、高さ及び機能で適切に設計される。さらに、上記のブロック５０ａ〜５０ｅの各々は、使用者の要望に基づいてその厚み、傾斜又は向きを変更するために付属品を備えることができ、前記付属品は、それぞれ支持構造又はベース板１０のライニング及びモジュラーブロック５０ａ〜５０ｅに結合するためにその上面及び底面に沿って結合手段を備える。
【００７５】
脊椎を収容するための前記システム４０は、腰椎及び胸椎及び脊椎の残り部分を相関的な部位及び関節と共に保持、支持及び制御できるようにするので、胴部の全体的支持（所謂“ＴＴＳ”胴体全支持（Ｔｒｕｎｋ  Ｔｏｔａｌ  Ｓｕｐｐｏｒｔ））が得られる。
【００７６】
図４は、全体が参照番号６０で示されるパッドシステムが図１ａ〜１ｄの支持構造に取り付けられている、本発明に係る姿勢装置の構造形を図解する。
【００７７】
前記パッドシステム６０は、モジュラー構造（いわゆる「自由形状（Ｆｏｒｍｅ  Ｌｉｂｅｒｅ）構造）であり、また複数のパッドクッション６０ａ〜６０ｄを備えており、前記複数のパッドクッション６０ａ〜６０ｄは、各身体部位が支持しなければならない荷重及びそれが使用中に受ける応力に基づいて適切に組み合わされた、同じ又は異なるタイプの形状及び厚みを持つタイプのものである。
【００７８】
特にモジュラーパッドシステム６０は、別個のサブシステムを備え、前記別個のサブシステムの、
第一サブシステムは、それに関連する脚を収容するために前記モジュラーベース２０及び前記モジュラーシステム３０の当て物となり、このために、１対の適切な形状のパッドを備え、各パッドは１つ以上の重なり合ったパッドクッションを備え、
第二サブシステムは、骨盤を収容するためのモジュラーシステム４０の当て物に適し、このために、１つ以上の適切な形状のパッドを備え、各パッドは１つ以上の重なり合ったパッドクッションを備える。
【００７９】
各パッドクッション６０ａ〜６０ｄは、様々なタイプの高性能高分子発泡体、通気を促進する架橋発泡体、低速記憶戻りを持つ粘弾性発泡体及びその類似品、並びにそれらの組合せを用いて、又は本発明の用途に適した高分子発泡体の代替材料を用いてさえ作ることができる。
【００８０】
パッドクッション６０ａ〜６０ｄは、使用される発泡体の特性に悪影響を与えない水を主原料とする接着剤によって接合できる。又は接合せずに、単に並置するだけでもよい。事実、特殊なカットの設計及び厚みの選択によって、使用時に使用者によって与えられる体圧の影響だけで、パッドシステムを下の支持構造の形状に完璧に合わせることができる。
【００８１】
このようにパッドを当てられた姿勢装置の支持構造は、見出された姿勢構造形への適応を可能にするライニングで被覆される。
【００８２】
同様に、図５は、全体が参照番号７０で示されるパッドシステムが図３の支持構造に取り付けられた、本発明に係る姿勢装置の構造形を図解する。
【００８３】
前記パッドシステム７０はモジュラー構造を有し、複数のサブシステム７０ａ〜７０ｂを備える。前記サブシステムの各々は、各身体部位が支持すべき荷重及び使用時にこれに与えられる応力に基づいて適切に組み合わされる、同じ又は異なるタイプ、形状及び厚みのパッドクッションを備える。
【００８４】
特に、姿勢装置の背もたれに相当する第一サブシステム７０ａ及びその支持構造に相当する第二サブシステム７０ｂが図５に示される。
【００８５】
前記第一サブシステム７０ａは、その下に存在する使用者の脊椎を収容するための複数のモジュラーブロック５０ａ〜５０ｅ及び対応する形状のライニングと共に、１つのキット（いわゆる「連結形（Ｆｏｒｍｅ  Ａｃｃｏｌｔｅ）」キット）を構成する。
【００８６】
この場合にも、このようにしてパッドを当てられた姿勢装置の支持構造は、姿勢構造形に合わせて調節できるようにするライニングカバーで被覆される。
【００８７】
本発明に係る姿勢装置の支持構造は、使用者の固有の要求に基づいて個別に又は組み合わせて使用される非常に多様な付属品を備えることができる。
【００８８】
例えば、図６は、本発明に係る姿勢装置の第三実施形態を図解する。この姿勢装置は、全体が参照番号８０で示される、使用者の肩及び頭部を収容するためのモジュラーシステムを備える。
【００８９】
前記モジュラーシステム８０は、プラスチック又は複合材料で作られ、予備造形され、並びに切削及び材料の除去又はその他の同様の加工によって調整可能なモジュラーブロック８０ａ〜８０ｂを備える。
【００９０】
モジュラーブロック８０ａ〜８０ｂの各々は、姿勢装置の支持構造への結合を可能にするために上面及び底面に沿って結合手段８２を備えることができる。
前記結合手段８２は、例えば、バインダブロッキング装置並びに／又は雄及び／若しくは雌式ファスナテープを用いる結合装置を備える。
【００９１】
姿勢装置の支持構造の背部に配置された前記モジュラーシステム８０は、使用者に完全な姿勢支持を提供することを可能にするとともに、医療用又は家庭用のシート、バギー、子供用椅子などの様々な着座及び／又は移送装置の背もたれに沿う安定な支持及び位置決めを可能にする。
【００９２】
概して、本発明によると、前記ベース板１０、１組以上の複数のモジュラーブロック２０ａ〜２０ｆ、３０ａ〜３０ｄ、４０ａ〜４０ｆ、５０ａ〜５０ｅ、８０ａ〜８０ｂ及び１組以上の複数のパッドクッション６０ａ〜６０ｄ、７０ａ〜７０ｂを備えるキットを提供することが可能であり、その結果、使用者の要求に基づいて前記モジュラーブロック及び前記パッドクッションを前記ベース板に適切に関連付けて、患者の構造的体形に基づいて前記ブロック及びクッションの数、形状、サイズ及び向きを選択することによって、姿勢装置が構成されることができる。
【００９３】
上記の説明から、本発明に係る姿勢装置は、身体の完全な収容及び適切な体重配分を促進するために使用者の固有の体形を考慮することを可能にするという点、及び使用過程で生じ得る前記体形の変化にその構造を合わせることを可能にするという点で、上記した目的を達成することを可能にすることは明らかである。
【００９４】
また、上述の実施形態は、単に例として示されており、特許請求の範囲によって規定される本発明の保護範囲から逸脱することなく多くの修正例及び変形例が可能であることも明らかである。
【図１Ａ】
2013526956.tif 000003
【図１Ｂ】
2013526956.tif 000004
【図１Ｃ】
2013526956.tif 000005
【図１Ｄ】
2013526956.tif 000006
【図２】
2013526956.tif 000007
【図３】
2013526956.tif 000008
【図４】
2013526956.tif 000009
【図５】
2013526956.tif 000010
【図６】
2013526956.tif 000011
【手続補正書】
【提出日】平成24年8月6日(2012.8.6)
【手続補正１】
【補正対象書類名】明細書
【補正対象項目名】００１６
【補正方法】変更
【補正の内容】
【００１６】
この種の既知の姿勢装置の例は、例えば、米国特許第５３３３９２１号明細書及び国際公開第９５／３３３９６号パンフレットに見られる。
【手続補正２】
【補正対象書類名】明細書
【補正対象項目名】００２１
【補正方法】変更
【補正の内容】
【００２１】
従って、上述の支持物は、使用者の骨盤の正しい支持及び保持を保証するという技術的問題を解決しない。さらに、この支持物はモジュラー構造を持つが、あらゆる個人の解剖学的体格に合わせるための充分に多様なサイズ及び形態を採用していない。
米国特許第５３４３８７６号明細書は、平らなベース板と、それに取り付けられた複数のモジュラー式のカスタマイズ可能な支持ブロックであって、それ故カスタマイズされたモジュラー支持構造を形成する支持ブロックとを備える姿勢システムを開示している。
そのような姿勢システムは、肛門を支持して、括約筋への荷重を軽減することを可能にし、またそれは坐骨粗面及び尾骨への圧力を軽減することをさらに可能にし得る。
しかしながら、米国特許第５３４３８７６号明細書に開示された姿勢装置は、使用者の身体の正しい保持、サスペンション、並びに前部、側方及び後部制御を提供することができない。
【手続補正３】
【補正対象書類名】明細書
【補正対象項目名】００２２
【補正方法】変更
【補正の内容】
【００２２】
【特許文献１】米国特許第５３３３９２１号明細書
【特許文献２】国際公開第９５／３３３９６号パンフレット
【特許文献３】英国特許第２１０２２８３号明細書
【特許文献４】米国特許第５３４３８７６号明細書
【手続補正４】
【補正対象書類名】特許請求の範囲
【補正対象項目名】全文
【補正方法】変更
【補正の内容】
【特許請求の範囲】
【請求項１】
平らなベース板（１０）と、
使用者の形態学的構造に適合するように造形された支持構造を得るために前記ベース板に結合するのに適する、様々な形状及びサイズの複数のモジュラーブロック（２０ａ〜２０ｆ、３０ａ〜３０ｄ、４０ａ〜４０ｆ，５０ａ〜５０ｅ、８０ａ〜８０ｂ）と、を備え、
前記ベース板（１０）が、外部支持表面及び前記モジュラーブロックに取外し可能かつ可逆的に結合するための結合手段を備え、前記モジュラーブロック（２０ａ〜２０ｆ、３０ａ〜３０ｄ、４０ａ〜４０ｆ，５０ａ〜５０ｅ、８０ａ〜８０ｂ）が、前記ベース板（１０）に、及び相互に、取外し可能かつ可逆的に結合するための手段を備え、
モジュラーベース（２０）を得るのに適する第一の複数のモジュラーブロック（２０ａ〜２０ｆ）を備える、姿勢装置であって、該姿勢装置が、
前記使用者の脚を収容するためのモジュラーシステム（３０）を得るのに適する第二の複数のモジュラーブロック（３０ａ〜３０ｄ）と、
前記使用者の骨盤を収容するためのモジュラーシステム（４０）を得るのに適する第三の複数のモジュラーブロック（４０ａ〜４０ｆ）と、をさらに備え、
前記第三の複数のモジュラーブロック（４０ａ〜４０ｆ）が、相互に、及び前記ベース板に独立に結合され、並びに前記第三の複数のモジュラーブロックが、前記使用者の骨盤の正しい保持、サスペンション、並びに前部、側方及び後部制御だけでなく、尾骨、仙椎、腰椎、及び胸椎の正しい保持、サスペンション及び制御を得るように形作られて配置されていることを特徴とする、姿勢装置。
【請求項２】
前記ベース板（１０）が、その上面に、前記第一の複数のモジュラーブロック（２０ａ〜２０ｆ）に取外し可能かつ可逆的に結合するための結合手段を備え、及び前記複数のモジュラーブロック（２０ａ〜２０ｆ）が、それぞれその底面に、前記ベース板（１０）に取外し可能かつ可逆的に結合するための対応する結合手段を備える、請求項１に記載の姿勢装置。
【請求項３】
前記第一のモジュラーブロック（２０ａ〜２０ｆ）が、その上面に、前記第二の複数のモジュラーブロック（３０ａ〜３０ｄ）に取外し可能かつ可逆的に結合するための結合手段を備え、及び前記第二の複数のモジュラーブロック（３０ａ〜３０ｄ）が、それぞれその底面に、前記モジュラーベース（２０）に取外し可能かつ可逆的に結合するための対応する結合手段を備える、請求項１に記載の姿勢装置。
【請求項４】
前記第二の複数のモジュラーブロック（３０ａ〜３０ｄ）が、中央外転筋組立体を構成するための２つ以上の別個の独立したモジュラーブロック（３０ｂ、３０ｃ）を備える、請求項１に記載の姿勢装置。
【請求項５】
前記ベース板（１０）が、その上面に、前記第三の複数のモジュラーブロック（４０ａ〜４０ｆ）に取外し可能かつ可逆的に結合するための結合手段を備え、及び前記第三の複数のモジュラーブロック（４０ａ〜４０ｆ）が、それぞれその底面及び／又は上面に、前記ベース板（１０）に取外し可能かつ可逆的に結合するための対応する結合手段を備える、請求項１に記載の姿勢装置。
【請求項６】
前記使用者の脊椎を収容するためのモジュラーシステム（５０）を得るのに適する、第四の複数のモジュラーブロック（５０ａ〜５０ｅ）と、前記第四のモジュラーブロックに結合された平らな背もたれベース（５２）とを備える、請求項１に記載の姿勢装置。
【請求項７】
前記第三のモジュラーブロック（４０ａ〜４０ｆ）が、その上面に、前記第四の複数のモジュラーブロック（５０ａ〜５０ｅ）に取外し可能かつ可逆的に結合するための結合手段を備え、及び前記第四の複数のモジュラーブロック（５０ａ〜５０ｅ）が、それぞれその底面に、前記使用者の骨盤を収容するための前記モジュラーシステム（４０）に取外し可能かつ可逆的に結合するための対応する結合手段を備える、請求項６に記載の姿勢装置。
【請求項８】
パッドシステム（６０；７０）が前記支持構造に取り付けられ、前記パッドシステム（６０；７０）が、モジュラー構造を有し、かつ様々な構造及び形状及びサイズを有して適切に組み合わされるのに適する複数のパッドクッション（６０ａ〜６０ｄ；７０ａ〜７０ｂ）を備える、請求項１〜７のいずれか一項に記載の姿勢装置。
【請求項９】
該姿勢装置が、特に歩行不能者又は部分的歩行可能者のための移動のための医療支援装置、並びに／又はリハビリ用及び社会もしくは家庭生活用の医療装置に取り付けられるか又は前記医療支援装置及び前記医療装置の一体化した部分である、請求項１〜８のいずれか一項に記載の姿勢装置。
【請求項１０】
該姿勢装置が、特に適切に歩行できる者のための、椅子、シート、ベンチ及びその類似品に取り付けられるか又は前記椅子、前記シート、前記ベンチ及びその類似品の一体化した部分である、請求項１〜８のいずれか一項に記載の姿勢装置。
【請求項１１】
該姿勢装置が、移動手段に取り付けられるか又は前記移動手段の一体化した部分である、請求項１〜８のいずれか一項に記載の姿勢装置。
【国際調査報告】
2013526956.tif 000012
2013526956.tif 000013
2013526956.tif 000014